(57)【特許請求の範囲】
【請求項１】
インキキー開度指令装置に循環フレーム生成部と循環フレーム再生部とを設け、印刷ユニットごとには循環フレーム受信部と循環フレーム送信部とを具備するインキキー開度制御装置をそれぞれ設けておき、インキキー開度指令装置と最初の印刷ユニットの間では循環フレーム生成部と循環フレーム受信部とを、各印刷ユニットのインキキー開度制御装置の間では前の印刷ユニットのインキキー開度制御装置の循環フレーム送信部と後の印刷ユニットのインキキー開度制御装置の循環フレーム受信部とを、最後の印刷ユニットとインキキー開度指令装置の間では循環フレーム送信部と循環フレーム再生部とをそれぞれ循環フレーム伝送路で接続して構成し、インキキー開度指令装置の循環フレーム生成部において各印刷ユニットのインキキー開度制御装置にインキキー開度を指令する印刷ユニット数分のインキキー開度指令値データから印刷ユニット数分の指令データ列から成る循環フレームを生成して循環フレーム伝送路に送信するようにし、各印刷ユニットのインキキー開度制御装置の循環フレーム受信部において循環フレーム伝送路から受信した循環フレームの先頭の指令データ列を抜き出して自印刷ユニットのインキキー開度指令値データに変換するとともに、循環フレーム送信部において循環フレームの残りのデータ列の後尾に自印刷ユニットのインキキー開度現在値データから生成した応答データ列を付加して循環フレーム伝送路に送信するようにし、前記インキキー開度指令装置の循環フレーム再生部において循環フレーム伝送路から印刷ユニット数分の応答データ列から成る循環フレームを受信してこの循環フレームから各印刷ユニットのインキキー開度制御装置のインキキー開度現在値データを再生するようにしたことを特徴とするインキキー開度調整装置。
【発明の詳細な説明】
【技術分野】
【０００１】
本発明は、オフセット印刷機のインキつぼのインキキーの開度を調整するインキキー開度調整装置であって、複数の印刷ユニットのインキキーの開度を同時に調整するようにしたインキキー開度調整装置に関する。
【背景技術】
【０００２】
オフセット印刷機の色調整において印刷ユニットのインキつぼ部に設けられている、一定幅に分割されたインキキーとインキ元ローラとの隙間量を調整して版胴に供給するインキ供給量を調整する方式が周知であり、この隙間量をインキキー開度と呼びインキキー開度を調整するのにインキキーごとに減速手段を備えた小型の電動機と位置検出手段とを設け、インキキー開度の設定値に基づき電動機を正逆転どちらかに回転駆動させるとともに位置検出手段からの帰還量を検出するようにしたインキキーアクチュエータによる位置決め制御を用いているが、このインキキー開度の調整は、印刷機の排紙部近傍に設置されて印刷物の刷見台を兼用するようにしたオペレーションスタンドと称する操作盤内に集中インキキー開度調整装置を設けておき、印刷ユニット（色）を選択してから押しボタンスイッチなどの操作機能を用いてインキキー開度の設定値を生成し、このインキキー開度の設定値を選択している印刷ユニットのインキキー開度指令値データとして前記集中インキキー開度調整装置に与えて行うのが一般的である。この集中インキキー開度制御装置によるインキキー開度の調整方式では、選択されている印刷ユニット以外の印刷ユニットのインキキー開度の調整を並行して行うことができないため、複数の印刷ユニットのインキキー開度の調整を行う必要がある場合には時間の浪費が発生するという不都合がある。
【０００３】
この時間の浪費を解消する方法としてそれぞれの印刷ユニットに個別インキキー開度調整装置を設け、またオペレーションスタンドには集中インキキー開度調整装置の代わりに各印刷ユニットに設けられている前記個別インキキー開度調整装置に当該ユニットのインキキー開度指令値データを送信する手段を具備したインキキー開度指令装置を設けておき、各印刷ユニットの個別インキキー開度調整装置との間に一対もしくは二対の撚り電線などによる通信路を形成し、シリアル通信手段を用いてインキキー開度指令値およびインキキー開度現在値の送受信を行うようにするとともに、インキキー開度制御装置と個々のインキキーアクチュエータとの間は別の通信手段を用いてインキキー開度指令値およびインキキー開度現在値の送受信を行うようにしたインキキーの開度同時制御装置が提案されている。
本装置ではある印刷ユニットのインキキーアクチュエータが位置決め動作中であってもこの間に別の印刷ユニットでは、インキキー開度制御装置がインキキー開度指令装置からインキキー開度指令値を受けることができるようにしてインキキーの開度の同時制御を実現しており、通信路として必要な電線も僅かであるため省配線にも大きく寄与する。
【先行技術文献】
【特許文献】
【０００４】
【特許文献１】特開平０５−２４６０１５号公報
【発明の概要】
【発明が解決しようとする課題】
【０００５】
しかしながら本装置におけるシリアル通信手段は通信路をシリアルバスとして構成するため、インキキー開度指令装置がインキキー開度制御装置を選んで当該インキキー開度制御装置にインキキー開度指令値を送信するにはインキキー開度制御装置ごとに局番号、あるいはノードアドレスというようなアドレス設定手段が必要となり、かつ通信データに含まれているアドレス部のアドレスと自印刷ユニットのアドレス設定手段で設定されているアドレスとを比較するために自印刷ユニットに送信された通信データでない場合であっても常に通信路のデータの受信を行っていなければならずこれが個々のインキキーアクチュエータとの間の通信制御の応答に影響を与えるという欠点があった。
【０００６】
解決しようとする問題点は、インキキー開度制御装置を特定するのにアドレス設定手段が必要であり常時通信データを受信して通信データのアドレス部のアドレスと自印刷ユニットのアドレス設定手段で設定されているアドレスとを照合しなければならない点である。
【課題を解決するための手段】
【０００７】
上記の課題を解決するために、本発明は、インキキー開度指令装置に循環フレーム生成部と循環フレーム再生部とを設け、印刷ユニットごとには循環フレーム受信部と循環フレーム送信部とを具備するインキキー開度制御装置をそれぞれ設けておき、インキキー開度指令装置と最初の印刷ユニットの間では循環フレーム生成部と循環フレーム受信部とを、各印刷ユニットのインキキー開度制御装置の間では前の印刷ユニットのインキキー開度制御装置の循環フレーム送信部と後の印刷ユニットのインキキー開度制御装置の循環フレーム受信部とを、最後の印刷ユニットとインキキー開度指令装置の間では循環フレーム送信部と循環フレーム再生部とをそれぞれ循環フレーム伝送路で接続して構成し、インキキー開度指令装置の循環フレーム生成部において各印刷ユニットのインキキー開度制御装置にインキキー開度を指令する印刷ユニット数分のインキキー開度指令値データから印刷ユニット数分の指令データ列から成る循環フレームを生成して循環フレーム伝送路に送信するようにし、各印刷ユニットのインキキー開度制御装置の循環フレーム受信部において循環フレーム伝送路から受信した循環フレームの先頭の指令データ列を抜き出して自印刷ユニットのインキキー開度指令値データに変換するとともに、循環フレーム送信部において循環フレームの残りのデータ列の後尾に自印刷ユニットのインキキー開度現在値データから生成した応答データ列を付加して循環フレーム伝送路に送信するようにし、前記インキキー開度指令装置の循環フレーム再生部において循環フレーム伝送路から印刷ユニット数分の応答データ列から成る循環フレームを受信してこの循環フレームから各印刷ユニットのインキキー開度制御装置のインキキー開度現在値データを再生するようにしたことを特徴とする。
【発明の効果】
【０００８】
本発明のインキキー開度調整装置は、各印刷ユニットのインキキー開度制御装置の循環フレーム受信部において循環フレーム伝送路から受信した循環フレームの先頭のデータ列を抜き出してインキキー開度指令値データに変換すると、当該データが自印刷ユニットのインキキー開度制御装置に指令されたインキキー開度データとなるのでアドレス設定手段が不要であるという効果をもたらす。
【図面の簡単な説明】
【０００９】
【図１】本発明の実施例１に係わるインキキー開度調整装置のブロック図である。
【図２】同じく循環フレームを説明するための循環フレームの構成図である。
【発明を実施するための形態】
【００１０】
以下本発明の実施の形態について詳細に説明する。
【実施例１】
【００１１】
図１は、本発明の実施例１に係わるインキキー開度調整装置のブロック図で、印刷ユニット数が４ユニットの場合であって、１はインキキー開度指令装置、１０は第１番目の印刷ユニットのインキキー開度制御装置、２０は第２番目の印刷ユニットのインキキー開度制御装置、３０は第３番目の印刷ユニットのインキキー開度制御装置、４０は第４番目の印刷ユニットのインキキー開度制御装置であり、２は循環フレーム生成部、３は循環フレーム再生部、１１、２１、３１、４１はそれぞれ循環フレーム受信部、１２、２２、３２、４２はそれぞれ循環フレーム送信部である。Ｆ１、Ｆ２、Ｆ３、Ｆ４、Ｆ５はそれぞれ循環フレーム伝送路であって、Ｆ１はインキキー開度指令装置１の循環フレーム生成部２から出力して第１番目の印刷ユニットのインキキー開度制御装置１０の循環フレーム受信部１１と循環フレーム送信部１２とに入力し、Ｆ２は第１番目の印刷ユニットのインキキー開度制御装置１０の循環フレーム送信部１２から出力して第２番目の印刷ユニットのインキキー開度制御装置２０の循環フレーム受信部２１と循環フレーム送信部２２とに入力し、Ｆ３は第２番目の印刷ユニットのインキキー開度制御装置２０の循環フレーム送信部２２から出力して第３番目の印刷ユニットのインキキー開度制御装置３０の循環フレーム受信部３１と循環フレーム送信部３２とに入力し、Ｆ４は第３番目の印刷ユニットのインキキー開度制御装置３０の循環フレーム送信部３２から出力して第４番目の印刷ユニットのインキキー開度制御装置４０の循環フレーム受信部４１と循環フレーム送信部４２とに入力し、Ｆ５は第４番目の印刷ユニットのインキキー開度制御装置４０の循環フレーム送信部４２から出力してインキキー開度指令装置１の循環フレーム再生部３に入力するように接続してある。Ｒ１、Ｒ２、Ｒ３、Ｒ４はそれぞれ指令データ列受信完了信号であって、指令データ列受信完了信号Ｒ１は第１番目の印刷ユニットの循環フレーム受信部１１が出力して循環フレーム送信部１２に入力し、指令データ列受信完了信号Ｒ２は第２番目の印刷ユニットの循環フレーム受信部２１が出力して循環フレーム送信部２２に入力し、指令データ列受信完了信号Ｒ３は第３番目の印刷ユニットの循環フレーム受信部３１が出力して循環フレーム送信部３２に入力し、指令データ列受信完了信号Ｒ４は第４番目の印刷ユニットの循環フレーム受信部４１が出力して循環フレーム送信部４２に入力する。
【００１２】
ＳＡは循環フレーム生成部２に入力する印刷ユニット数分のインキキー開度指令値データ、Ｓ１は第１番目の印刷ユニットのインキキー開度制御装置１０の循環フレーム受信部１１から出力せられる第１番目の印刷ユニットのインキキー開度指令値データ、Ｓ２は第２番目の印刷ユニットのインキキー開度制御装置２０の循環フレーム受信部２１から出力せられる第２番目の印刷ユニットのインキキー開度指令値データ、Ｓ３は第３番目の印刷ユニットのインキキー開度制御装置３０の循環フレーム受信部３１から出力せられる第３番目の印刷ユニットのインキキー開度指令値データ、Ｓ４は第４番目の印刷ユニットのインキキー開度制御装置４０の循環フレーム受信部４１から出力せられる第４番目の印刷ユニットのインキキー開度指令値データで、印刷ユニット数分のインキキー開度指令値データＳＡは各印刷ユニットのインキキー開度指令値データＳ１、Ｓ２、Ｓ３、Ｓ４に分配される。また、ＰＡは循環フレーム再生部３から出力せられる印刷ユニット数分のインキキー開度現在値データ、Ｐ１は第１番目の印刷ユニットのインキキー開度制御装置１０の循環フレーム送信部１２に入力する第１番目の印刷ユニットのインキキー開度現在値データ、Ｐ２は第２番目の印刷ユニットのインキキー開度制御装置２０の循環フレーム送信部２２に入力する第２番目の印刷ユニットのインキキー開度現在値データ、Ｐ３は第３番目の印刷ユニットのインキキー開度制御装置３０の循環フレーム送信部３２に入力する第３番目の印刷ユニットのインキキー開度現在値データ、Ｐ４は第４番目の印刷ユニットのインキキー開度制御装置４０の循環フレーム送信部４２に入力する第４番目の印刷ユニットのインキキー開度現在値データで、各印刷ユニットのインキキー開度現在値データＰ１、Ｐ２、Ｐ３、Ｐ４は印刷ユニット数分のインキキー開度現在値データＰＡに収集される。
【００１３】
図２は、図１の本発明の実施例１に係わるインキキー開度調整装置における循環フレームを説明する構成図であり、（ａ）は循環フレーム伝送路Ｆ１における循環フレーム、（ｂ）は循環フレーム伝送路Ｆ２における循環フレーム、（ｃ）は循環フレーム伝送路Ｆ３における循環フレーム、（ｄ）は循環フレーム伝送路Ｆ４における循環フレーム、（ｅ）は循環フレーム伝送路Ｆ５における循環フレームの構成をそれぞれ示している。循環フレーム伝送路Ｆ１における循環フレーム（ａ）は第１番目の印刷ユニットのインキキー開度指令値データＳ１を再生するためのデータブロック（ユニット１指令データ列と表示している）を先頭に、第２番目の印刷ユニットのインキキー開度指令値データＳ２を再生するためのデータブロック（ユニット２指令データ列と表示している）、第３番目の印刷ユニットのインキキー開度指令値データＳ３を再生するためのデータブロック（ユニット３指令データ列と表示している）、第４番目の印刷ユニットのインキキー開度指令値データＳ４を再生するためのデータブロック（ユニット４指令データ列と表示している）の順に構成し、循環フレーム伝送路Ｆ２における循環フレーム（ｂ）は第２番目の印刷ユニットのインキキー開度指令値データＳ２を再生するためのデータブロック（ユニット２指令データ列と表示している）を先頭に、第３番目の印刷ユニットのインキキー開度指令値データＳ３を再生するためのデータブロック（ユニット３指令データ列と表示している）、第４番目の印刷ユニットのインキキー開度指令値データＳ４を再生するためのデータブロック（ユニット４指令データ列と表示している）、第１番目の印刷ユニットのインキキー開度現在値データＰ１を再生するためのデータブロック（ユニット１応答データ列と表示している）の順に構成し、循環フレーム伝送路Ｆ３における循環フレーム（ｃ）は第３番目の印刷ユニットのインキキー開度指令値データＳ３を再生するためのデータブロック（ユニット３指令データ列と表示している）を先頭に、第４番目の印刷ユニットのインキキー開度指令値データＳ４を再生するためのデータブロック（ユニット４指令データ列と表示している）、第１番目の印刷ユニットのインキキー開度現在値データＰ１を再生するためのデータブロック（ユニット１応答データ列と表示している）、第２番目の印刷ユニットのインキキー開度現在値データＰ２を再生するためのデータブロック（ユニット２応答データ列と表示している）の順に構成し、循環フレーム伝送路Ｆ４における循環フレーム（ｄ）は第４番目の印刷ユニットのインキキー開度指令値データＳ４を再生するためのデータブロック（ユニット４指令データ列と表示している）を先頭に、第１番目の印刷ユニットのインキキー開度現在値データＰ１を再生するためのデータブロック（ユニット１応答データ列と表示している）、第２番目の印刷ユニットのインキキー開度現在値データＰ２を再生するためのデータブロック（ユニット２応答データ列と表示している）、第３番目の印刷ユニットのインキキー開度現在値データＰ３を再生するためのデータブロック（ユニット３応答データ列と表示している）の順に構成し、循環フレーム伝送路Ｆ５における循環フレーム（ｅ）は第１番目の印刷ユニットのインキキー開度現在値データＰ１を再生するためのデータブロック（ユニット１応答データ列と表示している）を先頭に、第２番目の印刷ユニットのインキキー開度現在値データＰ２を再生するためのデータブロック（ユニット２応答データ列と表示している）、第３番目の印刷ユニットのインキキー開度現在値データＰ３を再生するためのデータブロック（ユニット３応答データ列と表示している）、第４番目の印刷ユニットのインキキー開度現在値データＰ４を再生するためのデータブロック（ユニット４応答データ列と表示している）の順に構成している。
【００１４】
循環フレーム伝送路Ｆ１、Ｆ２、Ｆ３、Ｆ４、Ｆ５のいずれにも循環フレームが存在しない状態のときに、インキキー開度指令装置１の循環フレーム生成部２に印刷ユニット数分のインキキー開度指令値データＳＡが入力されると循環フレーム生成部２は印刷ユニット数分のデータブロック（ユニット１指令データ列、ユニット２指令データ列、ユニット３指令データ列、ユニット４指令データ列と表示している）から成る循環フレーム（ａ）を生成して出力し、循環フレーム伝送路Ｆ１を介して第１番目の印刷ユニットのインキキー開度制御装置１０の循環フレーム受信部１１と循環フレーム送信部１２とにそれぞれ入力する。
【００１５】
循環フレーム受信部１１は入力された循環フレーム（ａ）の先頭のデータブロック（ユニット１指令データ列と表示している）を抜き出して第１番目の印刷ユニットのインキキー開度指令値データＳ１を再生するとともに、指令データ列受信完了信号Ｒ１を循環フレーム送信部に出力する。循環フレーム送信部１２は前記指令データ列受信完了信号Ｒ１が入力されると、循環フレーム伝送路Ｆ１を介して入力されている循環フレーム（ａ）の残りのデータブロック（ユニット２指令データ列、ユニット３指令データ列、ユニット４指令データ列と表示している）の後尾に第１番目の印刷ユニットのインキキー開度現在値データＰ１を再生するためのデータブロック（ユニット１応答データ列と表示している）を付加した循環フレーム（ｂ）を生成して出力し、循環フレーム伝送路Ｆ２を介して第２番目の印刷ユニットのインキキー開度制御装置２０の循環フレーム受信部２１と循環フレーム送信部２２とにそれぞれ入力する。
【００１６】
循環フレーム受信部２１は入力された循環フレーム（ｂ）の先頭のデータブロックを抜き出して第２番目の印刷ユニットのインキキー開度指令値データＳ２を再生するとともに、指令データ列受信完了信号Ｒ２を循環フレーム送信部に出力する。循環フレーム送信部２２は前記指令データ列受信完了信号Ｒ２が入力されると、循環フレーム伝送路Ｆ２を介して入力されている循環フレーム（ｂ）の残りのデータブロック（ユニット３指令データ列、ユニット４指令データ列、ユニット１応答データ列と表示している）の後尾に第２番目の印刷ユニットのインキキー開度現在値データＰ２を再生するためのデータブロック（ユニット２応答データ列と表示している）を付加した循環フレーム（ｃ）を生成して出力し、循環フレーム伝送路Ｆ３を介して第３番目の印刷ユニットのインキキー開度制御装置３０の循環フレーム受信部３１と循環フレーム送信部３２とにそれぞれ入力する。
【００１７】
循環フレーム受信部３１は入力された循環フレーム（ｃ）の先頭のデータブロックを抜き出して第３番目の印刷ユニットのインキキー開度指令値データＳ３を再生するとともに、指令データ列受信完了信号Ｒ３を循環フレーム送信部に出力する。循環フレーム送信部３２は前記指令データ列受信完了信号Ｒ３が入力されると、循環フレーム伝送路Ｆ３を介して入力されている循環フレーム（ｃ）の残りのデータブロック（ユニット４指令データ列、ユニット１応答データ列、ユニット２応答データ列と表示している）の後尾に第３番目の印刷ユニットのインキキー開度現在値データＰ３を再生するためのデータブロック（ユニット３応答データ列と表示している）を付加した循環フレーム（ｄ）を生成して出力し、循環フレーム伝送路Ｆ４を介して第４番目の印刷ユニットのインキキー開度制御装置４０の循環フレーム受信部４１と循環フレーム送信部４２とにそれぞれ入力する。
【００１８】
循環フレーム受信部４１は入力された循環フレーム（ｄ）の先頭のデータブロックを抜き出して第４番目の印刷ユニットのインキキー開度指令値データＳ４を再生するとともに、指令データ列受信完了信号Ｒ４を循環フレーム送信部に出力する。循環フレーム送信部４２は前記指令データ列受信完了信号Ｒ４が入力されると、循環フレーム伝送路Ｆ４を介して入力されている循環フレーム（ｄ）の残りのデータブロック（ユニット１応答データ列、ユニット２応答データ列、ユニット３応答データ列と表示している）の後尾に第４番目の印刷ユニットのインキキー開度現在値データＰ４を再生するためのデータブロック（ユニット４応答データ列と表示している）を付加した循環フレーム（ｅ）を生成して出力し、循環フレーム伝送路Ｆ５を介してインキキー開度指令装置１の循環フレーム再生部３に入力する。
【００１９】
循環フレーム再生部３は循環フレーム（ｅ）が入力されると循環フレーム（ｅ）を構成するデータブロック（ユニット１応答データ列、ユニット２応答データ列、ユニット３応答データ列、ユニット４応答データ列と表示している）から印刷ユニット数分のインキキー開度現在値データＰＡを再生して出力する。
【００２０】
このようにインキキー開度指令装置１の循環フレーム生成部２に入力された印刷ユニット数分のインキキー開度指令値データＳＡは、各印刷ユニットのインキキー開度制御装置１０、２０、３０，４０でそれぞれの印刷ユニットのインキキー開度指令値データＳ１、Ｓ２、Ｓ３、Ｓ４として分配され、各印刷ユニットのインキキー開度制御装置１０、２０、３０，４０のそれぞれの印刷ユニットのインキキー開度現在値データＰ１、Ｐ２、Ｐ３、Ｐ４はインキキー開度指令装置１の循環フレーム再生部３で印刷ユニット数分のインキキー開度現在値ＰＡとして収集されるので、この動作を繰り返すことによって複数の印刷ユニットのインキキーの開度を同時に調整することができる。
【００２１】
なお、上記実施例ではインキキー開度制御装置が４構成の場合を示したが、構成数はこれに限らず、任意の値の構成数のものであってもよい。
【産業上の利用可能性】
【００２２】
以上、説明したように本発明のインキキー開度調整装置では循環フレームを指令データ列、もしくは応答データ列から成るデータブロックで構成しているためシリアル通信が適用でき、各印刷ユニットのインキキー開度制御装置が入力された循環フレームの先頭のデータブロックを抜き出し自印刷ユニットのインキキー開度指令値データに変換するとともに、インキキー開度現在値データを変換して循環フレームの後尾のデータブロックとして付加するようにしているためアドレス設定手段を必要としない。これは各印刷ユニットのインキキー開度制御装置が個々のインキキーアクチュエータとの通信制御に専念できる時間が増加して高精度でかつ高速なインキキー開度制御を可能にするということを意味し、複数の印刷ユニットのインキキーの開度を同時に制御するのに好適なインキキー開度調整装置を提供する。
【符号の説明】
【００２３】
１    インキキー開度指令装置
２    循環フレーム生成部
３    循環フレーム再生部
１０  第１番目の印刷ユニットのインキキー開度制御装置
２０  第２番目の印刷ユニットのインキキー開度制御装置
３０  第３番目の印刷ユニットのインキキー開度制御装置
４０  第４番目の印刷ユニットのインキキー開度制御装置
１１、２１、３１、４１  循環フレーム受信部
１２、２２、３２、４２  循環フレーム送信部
Ｆ１、Ｆ２、Ｆ３、Ｆ４、Ｆ５  循環フレーム伝送路
Ｒ１、Ｒ２、Ｒ３、Ｒ４  指令データ列受信完了信号
ＳＡ  印刷ユニット数分のインキキー開度指令値データ
Ｓ１  第１番目の印刷ユニットのインキキー開度指令値データ
Ｓ２  第２番目の印刷ユニットのインキキー開度指令値データ
Ｓ３  第３番目の印刷ユニットのインキキー開度指令値データ
Ｓ４  第４番目の印刷ユニットのインキキー開度指令値データ
ＰＡ  印刷ユニット数分のインキキー開度現在値データ
Ｐ１  第１番目の印刷ユニットのインキキー開度現在値データ
Ｐ２  第２番目の印刷ユニットのインキキー開度現在値データ
Ｐ３  第３番目の印刷ユニットのインキキー開度現在値データ
Ｐ４  第４番目の印刷ユニットのインキキー開度現在値データ
【図１】
0005449055.tif 000002
【図２】
0005449055.tif 000003